(57)【要約】【課題】カラオケ演奏中に利用者によって登録された映像データを背景映像に代わって再生する場合でも、代えられた以降のカラオケ演奏中に再生される映像データおよび背景映像の種類や雰囲気などの連続性を維持することで視聴者に違和感を与えないようにする。【解決手段】カラオケ楽曲の再生中に、利用者による静止画データを選択する旨の指示を受け付けた場合には、当該静止画データを再生中の背景映像の代わりに再生する。このとき、カラオケ楽曲の残り演奏時間がすべての静止画データの再生時間より大きい場合には、静止画データと同一ジャンルの背景映像を検索して読み出しておく。そして、静止画データの再生が終了した後にその検索された背景映像を再生する。【選択図】図３
2010237507.tif 000002
【特許請求の範囲】
【請求項１】
カラオケ楽曲を対応する背景映像とともに再生するカラオケ装置と前記カラオケ装置に対して前記カラオケ楽曲を提供するホストサーバとがネットワークを介して通信可能に接続されるとともに、情報表示機能とユーザが入力操作する入力機能とを有する情報端末と前記カラオケ装置とが通信可能に接続されたカラオケネットワークシステムであって、
前記カラオケ装置は、
前記ホストサーバから配信されるカラオケ楽曲を記憶するカラオケ楽曲記憶手段と、
複数の前記背景映像を、それぞれのジャンルを示すジャンル情報と対応付けて記憶する背景映像記憶手段と、
利用者によって登録される一つ以上の映像データを、それぞれのジャンルを示すジャンル情報と対応付けて記憶する映像データ記憶手段と、
前記カラオケ楽曲記憶手段が記憶するカラオケ楽曲を読み出して再生するカラオケ楽曲再生手段と、
前記カラオケ楽曲再生手段がカラオケ楽曲を再生する際に当該カラオケ楽曲に対応する背景映像を背景映像記憶手段から読み出して再生する背景映像再生手段と、
利用者による映像データを選択する旨の指示を受け付け可能な選択受付手段と、
前記カラオケ楽曲再生手段がカラオケ楽曲を再生するとともに前記背景映像再生手段が当該カラオケ楽曲に対応する背景映像を再生する際に、前記選択受付手段が利用者による映像データを選択する旨の指示を受け付けた場合には、当該映像データを前記映像データ記憶手段から読み出して再生中の背景映像の代わりに前記背景映像再生手段に再生させる再生制御手段と、を備え、
前記再生制御手段は、さらに、前記背景映像再生手段によって再生される映像データと同一ジャンルである背景映像を前記ジャンル情報を参照して前記背景映像記憶手段から検索し、前記背景映像再生手段による映像データの再生が終了した後にその検索された背景映像を前記背景映像再生手段に再生させること
を特徴とするカラオケネットワークシステム。
【請求項２】
カラオケ楽曲を対応する背景映像とともに再生するカラオケ装置と前記カラオケ装置に対して前記カラオケ楽曲を提供するホストサーバとがネットワークを介して通信可能に接続されるとともに、情報表示機能とユーザが入力操作する入力機能とを有する情報端末と前記カラオケ装置とが通信可能に接続されたカラオケネットワークシステムに用いられる前記カラオケ装置であって、
前記ホストサーバから配信されるカラオケ楽曲を記憶するカラオケ楽曲記憶手段と、
複数の前記背景映像を、それぞれのジャンルを示すジャンル情報と対応付けて記憶する背景映像記憶手段と、
利用者によって登録される一つ以上の映像データを、それぞれのジャンルを示すジャンル情報と対応付けて記憶する映像データ記憶手段と、
前記カラオケ楽曲記憶手段が記憶するカラオケ楽曲を読み出して再生するカラオケ楽曲再生手段と、
前記カラオケ楽曲再生手段がカラオケ楽曲を再生する際に当該カラオケ楽曲に対応する背景映像を背景映像記憶手段から読み出して再生する背景映像再生手段と、
利用者による映像データを選択する旨の指示を受け付け可能な選択受付手段と、
前記カラオケ楽曲再生手段がカラオケ楽曲を再生するとともに前記背景映像再生手段が当該カラオケ楽曲に対応する背景映像を再生する際に、前記選択受付手段が利用者による映像データを選択する旨の指示を受け付けた場合には、当該映像データを前記映像データ記憶手段から読み出して再生中の背景映像の代わりに前記背景映像再生手段に再生させる再生制御手段と、を備え、
前記再生制御手段は、さらに、前記背景映像再生手段によって再生される映像データと同一ジャンルである背景映像を前記ジャンル情報を参照して前記背景映像記憶手段から検索し、前記背景映像再生手段による映像データの再生が終了した後にその検索された背景映像を前記背景映像再生手段に再生させること
を特徴とするカラオケ装置。
【請求項３】
請求項２に記載のカラオケ装置において、
前記映像データには予め再生時間長情報も含まれており、
前記再生制御手段は、前記カラオケ楽曲再生手段がカラオケ楽曲を再生するとともに前記背景映像再生手段が当該カラオケ楽曲に対応する背景映像を再生する際に、前記選択受付手段が利用者による映像データを選択する旨の指示を受け付けた場合に、当該カラオケ楽曲の残り演奏時間を算出するとともに当該映像データの再生時間長情報から再生時間長を抽出し、当該カラオケ楽曲の残り演奏時間と当該映像データの再生時間長とを比較し、当該カラオケ楽曲の残り演奏時間が当該映像データの再生時間長より大きい場合には、当該映像データと同一ジャンルである背景映像を前記ジャンル情報を参照して前記映像データ記憶手段から検索し、その検索された背景映像を当該映像データの再生開始から再生が終了する迄に前記背景映像記憶手段からの読み出しを完了することを特徴とするカラオケ装置。
【発明の詳細な説明】
【技術分野】
【０００１】
本発明は、カラオケ楽曲の再生中に、視聴者に違和感を与えずに背景映像および映像データの再生を切り換える技術に関する。
【背景技術】
【０００２】
従来より、カラオケ楽曲の再生中にその楽曲と同じジャンルの背景映像を選択してモニタ画面に表示し、再生したカラオケ楽曲及びマイク音声をスピーカから出力するカラオケ装置が知られている。
【０００３】
この種のカラオケ装置の中には、カラオケ楽曲ごとに予め用意される背景映像の代わりに、利用者が予め登録しておいた映像データをカラオケ演奏時に再生してモニタ画面に表示させることが可能なカラオケ装置がある（特許文献１参照）。なお、上述の映像データの再生が終了した場合には、背景映像を再生してモニタ画面に表示させる。
【先行技術文献】
【特許文献】
【０００４】
【特許文献１】特開２００３−１０８１５７号公報（第４頁、図２）
【発明の概要】
【発明が解決しようとする課題】
【０００５】
しかし、上述のようなカラオケ装置においては、上述の映像データの再生が終了したときにカラオケ演奏が継続していた場合には背景映像を再生してモニタ画面に表示させることとなるため、カラオケ演奏中に再生された映像データとその後の背景映像の種類や雰囲気などの連続性が維持されないことがあり、このような場合には視聴者に違和感を与えるという問題があった。
【０００６】
本発明は、このような課題に鑑みなされたものであり、その目的とするところは、カラオケ演奏中に利用者によって登録された映像データを背景映像に代わって再生する場合でも、代えられた以降のカラオケ演奏中に再生される映像データおよび背景映像の種類や雰囲気などの連続性を維持することで視聴者に違和感を与えないようにすることにある。
【課題を解決するための手段】
【０００７】
上記課題を解決するためになされた請求項１に係るカラオケネットワークシステム（１：この欄においては、発明に対する理解を容易にするため、必要に応じて「発明を実施するための形態」欄で用いた符号を付すが、この符号によって請求の範囲を限定することを意味するものではない。）は、カラオケ楽曲を対応する背景映像とともに再生するカラオケ装置（１０）とカラオケ装置に対してカラオケ楽曲を提供するホストサーバ（３０）とがネットワークを介して通信可能に接続されるとともに、情報表示機能とユーザが入力操作する入力機能とを有する情報端末（４０）とカラオケ装置とが通信可能に接続される。
【０００８】
このうちのカラオケ装置は、カラオケ楽曲記憶手段（１６）と、背景映像記憶手段（１６）と、映像データ記憶手段（１６）と、カラオケ楽曲再生手段（１３）と、背景映像再生手段（１３）と、選択受付手段（１２）と、再生制御手段（１２）と、を備える。
【０００９】
カラオケ楽曲記憶手段は、ホストサーバから配信されるカラオケ楽曲を記憶する。また、背景映像記憶手段は、複数の背景映像を、それぞれのジャンルを示すジャンル情報と対応付けて記憶する。また、映像データ記憶手段は、利用者によって登録される一つ以上の映像データを、それぞれのジャンルを示すジャンル情報と対応付けて記憶する。
【００１０】
また、カラオケ楽曲再生手段は、カラオケ楽曲記憶手段が記憶するカラオケ楽曲を読み出して再生する。また、背景映像再生手段は、カラオケ楽曲再生手段がカラオケ楽曲を再生する際に当該カラオケ楽曲に対応する背景映像を背景映像記憶手段から読み出して再生する。さらに、選択受付手段は、利用者による映像データを選択する旨の指示を受け付け可能である。
【００１１】
そして、カラオケ楽曲再生手段がカラオケ楽曲を再生するとともに背景映像再生手段が当該カラオケ楽曲に対応する背景映像を再生する際に、選択受付手段が利用者による映像データを選択する旨の指示を受け付けた場合には、再生制御手段は、当該映像データを映像データ記憶手段から読み出して再生中の背景映像の代わりに背景映像再生手段に再生させる。さらに、再生制御手段は、背景映像再生手段によって再生される映像データと同一ジャンルである背景映像をジャンル情報を参照して背景映像記憶手段から検索し、背景映像再生手段による映像データの再生が終了した後にその検索された背景映像を背景映像再生手段に再生させる。
【００１２】
このことにより、カラオケ演奏中に利用者によって登録された映像データを背景映像に代わって再生する場合でも、代えられた以降のカラオケ演奏中に再生される映像データおよび背景映像の種類や雰囲気などの連続性を維持することで視聴者に違和感を与えないようにすることができる。
【００１３】
なお、本発明は、請求項１に係るカラオケネットワークシステムに用いられるカラオケ装置としても実現可能である（請求項２）。
ところで、上述のように映像データの再生が終了した後に背景映像を再生する場合に、次に再生する背景映像を背景映像記憶手段から読み出すまでに表示が途切れるおそれがある。そこで、カラオケ楽曲の残り演奏時間が映像データの再生時間より大きい場合に同一ジャンルの背景映像を検索して読み出しておくことが考えられる。具体的には、請求項３のように、映像データには予め再生時間長情報も含まれており、再生制御手段が、カラオケ楽曲再生手段がカラオケ楽曲を再生するとともに背景映像再生手段が当該カラオケ楽曲に対応する背景映像を再生する際に、選択受付手段が利用者による映像データを選択する旨の指示を受け付けた場合に、当該カラオケ楽曲の残り演奏時間を算出するとともに当該映像データの再生時間長情報から再生時間長を抽出し、当該カラオケ楽曲の残り演奏時間と当該映像データの再生時間長とを比較し、当該カラオケ楽曲の残り演奏時間が当該映像データの再生時間長より大きい場合には、当該映像データと同一ジャンルである背景映像をジャンル情報を参照して映像データ記憶手段から検索し、その検索された背景映像を当該映像データの再生開始から再生が終了する迄に前記背景映像記憶手段からの読み出しを完了することが考えられる。
【００１４】
このことにより、上述のように映像データの再生が終了した後に背景映像を再生する場合に、次に再生する背景映像を背景映像記憶手段から読み出すまでに発生する表示の中断を極力短くすることができる。
【図面の簡単な説明】
【００１５】
【図１】カラオケネットワークシステムの概略構成を示すブロック図である。
【図２】カラオケネットワークシステムの各構成が実行する各種処理を示すタイムチャートである。
【図３】カラオケ装置が実行するメイン処理を示すフローチャートである。
【図４】カラオケ装置が実行するスクリプト解釈処理を示すフローチャートである。
【発明を実施するための形態】
【００１６】
以下に本発明の実施形態を図面とともに説明する。なお、本発明はこの実施形態に限定されるものではなく、様々な態様にて実施することが可能である。
［１．カラオケネットワークシステム１の構成の説明］
図１に示すように、カラオケネットワークシステム１は、一つ以上のカラオケ装置１０とセンター（ホストサーバ）３０とがインターネット（ネットワーク）を介して通信可能に接続され、カラオケ装置１０とリモコン端末２０とがカラオケルームに設置されるＬＡＮを介して通信可能に接続される。また、センター３０とＰＣ４０とがインターネットを介して通信可能に接続される。なお、図１ではカラオケ装置１０が一つのみ図示されている。
【００１７】
なお、インターネットとＬＡＮとは図示しないルータで接続されている。また、カラオケ装置１０、リモコン端末２０およびセンター３０は、相互の識別情報（ＩＰアドレスなど）を予め記憶して通信対象を特定しており、ＬＡＮを介して互いに通信するようになっている。なお、ＬＡＮは有線方式であっても無線方式であってもよい。また、お互い通信対象を特定しているので、センター３０はユーザがログイン（ログインは後述）したリモコン端末２０からユーザが利用するカラオケ装置１０を特定して各種情報を送受信できる。
【００１８】
［１．１．カラオケ装置１０の構成の説明］
カラオケ装置１０は、各種映像の表示を行う表示部１１，装置全体を制御する制御部１２，楽曲データ（カラオケ楽曲）の再生（カラオケ演奏）および背景映像データや静止画データ（映像データ）の再生を行う楽曲再生部１３，複数のキー・スイッチなどからなる操作部１４，インターネットやＬＡＮを介した通信を制御する通信部１５，演奏楽曲の伴奏内容および歌詞を示す楽曲データなどを記憶するＨＤＤ１６などを備える。このカラオケ装置１０は、カラオケ楽曲を再生する機能を有する。
【００１９】
また、表示部１１は図示しないＴＶなどを有し、歌詞テロップや背景画像を表示可能である。また、楽曲再生部１３は、図示しないマイクやＭＩＤＩ再生部、アンプ、スピーカを含み、楽曲データをカラオケ演奏するとともにマイクから入力された歌唱音声を出力する。また、制御部１２は、ＣＰＵやＲＯＭ、ＲＡＭなどから構成され、装置全体を制御する。
【００２０】
また、ＨＤＤ１６は、複数の背景映像を、それぞれのジャンルを示すジャンル情報と対応付けて記憶する。また、ＨＤＤ１６は、利用者によって登録される一つ以上の静止画データを、それぞれのジャンルを示すジャンル情報と対応付けて記憶する。
【００２１】
さらに、制御部１２は、図２に示すように、リモコン端末２０からのログイン要求に応じてセンター３０から送信された静止画データ、サムネイル画像およびスクリプトデータをＨＤＤ１６に記憶させる。なお、スクリプトデータには、ジャンル種別や表示静止画ファイル名、表示秒数などが記述される。一例を挙げると、図２に例示するスクリプトデータでは、複数の静止画（α．ＪＰＧ、β．ＪＰＧ）に対して１つのジャンル（Ｂ）が設定されて、再生順序はα、βの順で表示時間は１０秒、２０秒となっている。そして、制御部１２は、このうちのサムネイル画像を、ログイン要求を行ったリモコン端末２０に転送する。
【００２２】
なお、ＨＤＤ１６は、カラオケ楽曲記憶手段、背景映像記憶手段および映像データ記憶手段に該当する。また、制御部１２は、選択受付手段および再生制御手段に該当する。また、楽曲再生部１３は、カラオケ楽曲再生手段および背景映像再生手段に該当する。
【００２３】
［１．２．リモコン端末２０の構成の説明］
図１に示すように、リモコン端末２０は、各種情報の表示を行う表示部２１，装置全体を制御する制御部２２，複数のキー・スイッチなどからなる操作部２３，インターネットを介した通信を制御する通信部２４，各種情報を記憶する不揮発性メモリ２５などを備え、情報表示機能およびユーザが入力操作する入力機能を有する。
【００２４】
また、制御部２２は、図２に示すように、操作部２３を操作するユーザからの入力操作に基づき、センター３０に対して当該ユーザに対する認証を要求する。
また、制御部２２は、カラオケ装置１０を介してセンター３０から送信されたサムネイル画像を不揮発性メモリ２５に記憶させ、操作部２３を操作するユーザからの入力操作に基づき、サムネイル画像を表示部２１にサムネイル表示させる。
【００２５】
［１．３．センター３０の構成の説明］
図１に示すように、センター３０は、周知のコンピュータシステムからなり、インターネットを介した通信を制御する通信部３１，各種情報を記憶するＨＤＤ３２，サーバ全体を制御する制御部３３などを備える。このセンター３０は、ＨＤＤ３２が記憶するカラオケ楽曲を定期的にカラオケ装置１０に配信する機能を有する。
【００２６】
また、センター３０は、登録ユーザに対して認証を行う機能を有する。具体的には、ＨＤＤ３２は、登録ユーザに関する情報を記憶する。そして、制御部３３は、ＨＤＤ３２に記憶される登録ユーザに関する情報を参照して、当該カラオケネットワークシステム１へのログインまたは当該カラオケネットワークシステム１からのログアウトを、リモコン端末２０を介して要求するユーザへの認証を行う。
【００２７】
また、ＨＤＤ３２は、登録ユーザごとの静止画データ、静止画データのサムネイル画像およびスクリプトデータを保存するのに利用される。また、ＨＤＤ３２は、映像ジャンルテーブルを記憶する。なお、映像ジャンルテーブルには、ジャンルとして演歌やＰＯＰＳ、春、秋などが登録されている。
【００２８】
そして、図２に示すように、ＰＣ４０においては、登録ユーザによってアップロードする静止画に対して予め定めたジャンル種別からジャンルを選択し、更に静止画の表示時間、ファイル名を設定してからアップロードすると、制御部３３では、ＰＣ４０から静止画データが前記画像ファイルアップロードされたときにはＨＤＤ３２に記憶させる。具体的には、センター３０にはＷｅｂサーバ機能があり、ＰＣ４０側にはＷｅｂブラウザ機能があり、Ｗｅｂサーバには映像ジャンルテーブルからジャンル種別の候補が含まれた選択Ｗｅｂメニュー表示する。メニュー表示には、静止画の表示時間入力、ファイル名入力やアップロード入力もある。登録ユーザがＷｅｂブラウザを介してｈｔｔｐ通信などを用いて静止画に対するジャンル選択、表示時間設定、ファイル名設定を行ってから、選択した静止画をインターネットなどの通信回線を介してセンター３０にアップロードする。なお、これらＷｅｂサーバ、ブラウザを介したｈｔｔｐ通信による画像表示、メニュー選択やアップロードは既に知られているのでここでは詳細に説明しない。
【００２９】
また、本実施形態では、複数の静止画のアップロードに対して１つのジャンルが選択され、センター３０にアップロードされた順序が再生順序としているが、再生順序は静止画の選択順であってもいいし、静止画毎にジャンルを対応させ、サーバ側でジャンル毎に静止画を連結させてもよい（図２の「スクリプトデータ内容）参照」。このとき、制御部３３は、ＨＤＤ３２が記憶するときに、登録ユーザごとの静止画データのアップロード毎にサムネイル画像およびスクリプトデータを作成してＨＤＤ３２に記憶する。
【００３０】
また、制御部３３は、リモコン端末２０からのログイン要求に応じてユーザに対する認証を行った場合には、そのユーザがアップロードした静止画データ、静止画データのサムネイル画像、そのスクリプトデータを全てＨＤＤ３２から読み出して、リモコン端末２０が設置しているカラオケ装置１０に送信する。
【００３１】
［１．４．ＰＣ４０の構成の説明］
図１に示すように、ＰＣ４０は、インターネットを介した通信を制御する通信部４１，各種情報を記憶するＨＤＤ４２，装置全体を制御する制御部４３，複数のキー・スイッチなどからなる操作部４４，各種情報の表示を行う表示部４５などを備え、情報表示機能およびユーザが入力操作する入力機能を有する。また、ＰＣ４０は、カメラ４６を内蔵し、ユーザの入力操作に基づき、静止画を撮像可能である。
【００３２】
ＨＤＤ４２は、ユーザがカメラ４６を用いて撮像した静止画を示す静止画データを記憶する。また、制御部４３は、図２に示すように、ＨＤＤ４２が記憶する静止画データに対して表示時間およびジャンルを設定し、この静止画データを所定のタイミングでセンター３０へアップロードする。なお、表示時間については、静止画データに基づき制御部４３にて算出される。また、ジャンルについてはユーザによる操作部４４への入力操作に基づき設定される。
【００３３】
なお、ＰＣ４０は、情報端末に該当する。なお、情報端末としては、ＰＣ４０と同様の構成を有し、情報表示機能とユーザが入力操作する入力機能とを有する携帯電話を用いてもよい。
【００３４】
［２．カラオケ装置１０のメイン処理の説明］
次に、カラオケ装置１０が実行するメインを、図３のフローチャートを参照して説明する。
【００３５】
まず、予約処理を行う（Ｓ１１０）。具体的には、リモコン端末２０にて予約処理が実行されると、カラオケ装置１０では、制御部１２が、リモコン端末２０から送信された選曲番号に対応するカラオケ楽曲の予約を行う。例えば、図３の演歌であるジャンルＡの曲番号を予約するといった具合である。そして、予約順に楽曲データをＨＤＤ１６から読み出し、読み出した楽曲データに基づきカラオケ演奏を楽曲再生部１３に実行させる（Ｓ１２０）。このとき、再生される楽曲データで指定されたジャンル（例えば、本実施形態ではジャンルＡ、図示せず）の背景映像をＨＤＤ１６から読み出して楽曲再生部１３に再生させる。
【００３６】
なお、カラオケ装置２０はＷｅｂサーバ機能を有し、ｈｔｔｐ通信でリモコン端末２０からアクセスがあった場合には、センター３０から送信されたサムネイル画像群のＷｅｂ表示とサムネイル画像の１つを選択させるメニュー表示を行う機能もある。
【００３７】
一方、リモコン端末２０では、予約後のカラオケ装置２０のＷｅｂサーバをアクセスすると予約を行ったログイン中のユーザが登録する静止画のサムネイル画像がＷｅｂブラウザが配置された表示部２１に表示される。そして、ユーザによる入力操作によってメニュー表示されたサムネイル画像の１つを選択すると、その選択された時点で、サムネイル画像に対応するスクリプトファイル名からスクリプトデータの内容がカラオケ装置１０側で特定されてカラオケ装置１０側でサブルーチンであるスクリプト解釈処理を実行する（Ｓ１３０）。
【００３８】
ここで、スクリプト解釈処理について図４のフローチャートを参照して説明する。まず、Ｉｎｄｅｘに数値「０」を代入する（Ｓ２０５）。続いて、スクリプトから１レコードを読み込む（Ｓ２１０）。その読み込んだレコードがＥＮＤタグである場合には（Ｓ２１５：ＹＥＳ）、そのまま本サブルーチンを終了する。また、その読み込んだレコードがＧＥＮＲＵタグである場合には（Ｓ２２０：ＹＥＳ）、ＨＤＤ１６内のメモリＡにジャンル情報を記録し（Ｓ２４０）、Ｓ２１０に戻って次のレコードを読み込む。また、その読み込んだレコードがＳＴＩＬＬタグである場合には（Ｓ２２５：ＹＥＳ）、ＨＤＤ１６内のメモリＢ（ｉｎｄｅｘ）に静止画ファイル名と秒数を記録し（Ｓ２３０）、Ｉｎｄｅｘに数値「１」を加算し（Ｓ２３５）、Ｓ２１０に戻って次のレコードを読み込む。また、その読み込んだレコードが上記タグ以外のタグである場合には（Ｓ２２５：ＮＯ）、Ｓ２１０に戻って次のレコードを読み込む。
【００３９】
上述のスクリプト解釈処理が終了したら、このスクリプトからメモリＢに展開された静止画データを、再生中の背景映像の代わりに順次再生して表示する（Ｓ１４０）。
続いて、演奏終了前に、スクリプトに指定された表示が終了したか否かを判断する（Ｓ１５０）。具体的には、演奏中のカラオケ楽曲の残り演奏時間を算出するとともにすべての静止画データの再生時間長情報から再生時間長を抽出し、演奏中のカラオケ楽曲の残り演奏時間と静止画データの再生時間長とを比較し、演奏中のカラオケ楽曲の残り演奏時間が静止画データの再生時間長よりも大きい場合に、演奏終了前にスクリプトに指定された表示が終了すると判断する。
【００４０】
演奏終了前に、スクリプトに指定された表示が終了した場合には（Ｓ１５０：ＹＥＳ）、演奏開始時の曲データに対応したジャンルＡの背景の背景映像をＨＤＤ１６から読み出して楽曲再生部１３に再生させるのではなく、メモリＡの映像ジャンル（実施例ではジャンルＢ）の背景映像データをＨＤＤ１６から読み出して演奏終了まで再生する（Ｓ１６０）。
【００４１】
そして、請求項３の構成では、曲の背景映像が曲に対応した背景映像データからユーザの静止画へ切り替わった時点で、演奏終了までの時間長よりスクリプトの静止画の再生時間が短いならば、スクリプトで設定された背景映像データをすべての静止画データの再生開始から再生が終了する迄にメモリＡに記憶されたジャンルと同じジャンルの背景映像データを、ＨＤＤ１６からの読み出しを完了しておき、スクリプトで指定された静止画の再生が終了した直後から、その読み出された背景映像データを、静止画データに続いて再生する。その後は曲の演奏終了までメモリＡと同じジャンルから背景映像がランダムに選択される。
【００４２】
このことによって、静止画からＨＤＤ１６に記憶された曲のジャンルに用意された背景映像へ遅延無く背景映像が切り替わることができる。
一方、演奏終了前に、スクリプトに指定された表示が終了しなかった場合には（Ｓ１５０：ＮＯ）、演奏が終了するまでに表示する背景映像を用意する必要がないため、上述のＳ１６０を実行しない。
【００４３】
［３．実施形態の効果］
このように本実施形態のカラオケネットワークシステム１によれば、次のような作用効果を奏する。すなわち、カラオケ楽曲の再生中に、利用者による意思で静止画データを選択する旨の指示を受け付けた場合には、当該静止画データを再生中の背景映像の代わりに再生する。
【００４４】
このとき、請求項２の構成では、カラオケ楽曲の残り演奏時間がすべての静止画データの再生時間より大きい場合には、静止画データの終了後の背景映像は静止画のジャンルから選択して読み出すことで、背景画が短くても利用者の意思に従った背景画のジャンルが継続される。
【００４５】
また、請求項３の構成では、静止画データと同一ジャンルの背景映像を検索して読み出しておく。そして、静止画データの再生が終了した後にその検索された背景映像を再生する。
【００４６】
このことにより、請求項２の構成では、カラオケ演奏中に利用者によって登録された静止画データを背景映像に代わって再生する場合でも、代えられた以降のカラオケ演奏中に再生される静止画データおよび背景映像の種類や雰囲気などの連続性を維持することで視聴者に違和感を与えないよう背景映像を表示することができる。
【００４７】
また、請求項３の構成によれば、上述のように静止画データの再生が終了した後に背景映像を再生する場合に、請求項２の構成より、次に再生する背景映像を読み出すまでに発生する表示の中断を極力短くすることができるので、更に、視聴者に違和感を与えないよう背景映像を表示することができる。
【符号の説明】
【００４８】
１…カラオケネットワークシステム、１０…カラオケ装置、１１…表示部、１２…制御部、１３…楽曲再生部、１４…操作部、１５…通信部、１６…ＨＤＤ、２０…リモコン端末、２１…表示部、２２…制御部、２３…操作部、２４…通信部、２５…不揮発性メモリ、３０…センター、３１…通信部、３２…ＨＤＤ、３３…制御部、４０…ＰＣ、４１…通信部、４２…ＨＤＤ、４３…制御部、４４…操作部、４５…表示部、４６…カメラ
【図１】
2010237507.tif 000003
【図２】
2010237507.tif 000004
【図３】
2010237507.tif 000005
【図４】
2010237507.tif 000006